(57)【特許請求の範囲】
【請求項１】
上下に所定間隔をおいて水平ア−ム２・３が横設された略コ字形状の基体１と、該基体１の上部水平ア−ム２に下向き状に取付けられた所要の長さを有する固定挟持片４と、該固定挟持片４に対向すべくその下方に上向き状に配設された所要長のガイド板８付き可動挟持片６と、該可動挟持片６を上下動自在に可動せしめるべく上下部水平ア−ム２・３に挿設された活線操作棒用接続金具１５付きネジ軸１１とより構成されてなることを特徴とする、電線用防護管の挿脱装置。
【請求項２】
可動挟持片６に付設されたガイド板８にはその下端部に脱落防止部１０が形成されてなることを特徴とする、請求項１記載の電線用防護管の挿脱装置。
【請求項３】
ネジ軸１１には基体１に対する共回りを防止せしめるべく所要の回り止め手段１８が付設されてなることを特徴とする、請求項１または２記載の電線用防護管の挿脱装置。
【請求項４】
固定挟持片４の先部に所要長の位置決めバ−３０が倒起立自在に連結されると共に、該位置決めバ−３０の先部には、架空配電線用嵌合部４０を備えた嵌合板３６が取付けられてなることを特徴とする、請求項１〜３のいづれか１項に記載の電線用防護管の挿脱装置。
【発明の詳細な説明】
【０００１】
【発明の属する技術分野】
本発明は、架空配電線に電線用防護管を挿脱せしめるさいに使用する挿脱器に関する。
【０００２】
【従来の技術】
従来より、樹木や建物などに接触または接触するおそれのある架空配電線においては、架空配電線を防護せしめるべくポリ管や絶縁電線用保護管などの電線用防護管を取付けるものとされている。
ところで、例えば、上記ポリ管は弾性を有する合成樹脂製ポリ管本体の長手方向に沿って拡開用の開口部が形成されると共に、該開口部の両側縁に沿って各々一対の閉塞用足部が対向状に突設された構成よりなるものである。そして、かかるポリ管を所要の架空配電線に取付けるさいには、作業員が一々手作業により直接ポリ管の弾性力に抗して足部を外方に拡開せしめつつ架空配電線に外嵌状に挿入して取付けるものとされている。
また、逆に、架空配電線に取付けたポリ管を取外すさいにおいても、同様に作業員の手作業により一々行うものとされている。
【０００３】
【発明が解決しようとする課題】
上述のごとく、従来は作業員の手作業により直接ポリ管をその弾性力に抗して足部を拡開せしめつつ架空配電線に取付け、また、取外すものとされているから、その作業が非常に面倒で手間がかかり、極めて作業能率の悪いものであって、特にポリ管など電線用防護管の柔軟性が低下する冬場においては作業性が極めて悪いものとなっていた。また、手作業により直接取付け、また、取外すものとされているから、感電事故など不測の事故を惹起せしめやすいものとなっていた。
【０００４】
本発明は、かかる従来例の問題点を一挙に解決し、夏冬場を問わず架空配電線に電線用防護管を極めて容易に、しかも、迅速かつ安全確実に作業能率よく取付け、また取外すことが出来る電線用防護管の挿脱装置を提供しようとするものである。
【０００５】
【課題を解決するための手段】
即ち、請求項１記載の発明は、上下に所定間隔をおいて水平ア−ム２・３が横設された略コ字形状の基体１と、該基体１の上部水平ア−ム２に下向き状に取付けられた所要の長さを有する固定挟持片４と、該固定挟持片４に対向すべくその下方に上向き状に配設された所要長のガイド板８付き可動挟持片６と、該可動挟持片６を上下動自在に可動せしめるべく上下部水平ア−ム２・３に挿設された活線操作棒用接続金具１５付きネジ軸１１とより構成されてなることを特徴とする、電線用防護管の挿脱装置を要旨とするものである。
そして、かかる請求項１記載の発明は、ネジ軸１１の螺動により可動挟持片６を上昇作動せしめ、固定挟持片４との間に架空配電線２９を挟持せしめると共に、ガイド板８に電線用防護管２５をその開口部２７より外嵌状に挿入して拡開せしめつつ架空配電線２９に取付け、また、取外すことが出来る。
【０００６】
請求項２記載の発明は、可動挟持片６に付設されたガイド板８にはその下端部に脱落防止部１０が形成されてなることを特徴とする、請求項１記載の電線用防護管の挿脱装置を要旨とするものである。
そして、かかる請求項２記載の発明は、脱落防止部１０により挿脱時における電線用防護管２５の脱落を有効に防止せしめることが出来る。
【０００７】
請求項３記載の発明は、ネジ軸１１には基体１に対する共回りを防止せしめるべく所要の回り止め手段１８が付設されてなることを特徴とする、請求項１または２記載の電線用防護管の挿脱装置を要旨とするものである。
そして、かかる請求項３記載の発明は、基体１に対するネジ軸１１の共回りを確実に防止せしめ、常にネジ軸１１を適正に螺動せしめて可動挟持片６の上下動を確実に行わしめることが出来る。
【０００８】
請求項４記載の発明は、固定挟持片４の先部に所要長の位置決めバ−３０が倒起立自在に連結されると共に、該位置決めバ−３０の先部には架空配電線用嵌合部４０を備えた嵌合板３６が取付けられてなることを特徴とする、請求項１〜３のいづれか１項に記載の電線用防護管の挿脱装置を要旨とするものである。
そして、かかる請求項４記載の発明は、位置決めバ−３０を固定挟持片４の延長線上に倒伏せしめると共に、嵌合部４０を架空配電線２９に嵌合せしめて挟持の位置決めを適正に行うことが出来るため、固定・可動挟持片４・６による架空配電線２９の挟持を常に迅速、かつ、正確に行うことが出来る。
【０００９】
【発明の実施の形態】
以下に、本発明の実施の形態を図面に示す一実施例に基づいて説明する。
図１〜図９は本発明の一実施例を示すもので、同図中、１は上下に所定間隔をおいて長尺状の上部水平ア−ム２と短尺状の下部水平ア−ム３とが横設されたコ字形状の基体、４は該基体１の上部水平ア−ム２に直交すべくその先部に下向き状に取付けられた所要の長さを有する固定挟持片、５は該固定挟持片４の長手方向に沿ってその下面に湾曲面状に形成された挟持面、６は固定挟持片４に対向すべくその下方に上向き状に配設された所要長の可動挟持片、７は該可動挟持片６の下面に形成された湾曲面状の挟持面で、可動挟持片６は固定挟持片４より若干長尺状に形成されると共に、後記するネジ軸１１により上下に可動自在とされている。８は可動挟持片６の長手方向に沿ってその下端部に取付け部材９を介して傾斜状に取付けられたポリ管挿入用のガイド板、１０は該ガイド板８の長手方向に沿ってその下端部両側に一体に突設された脱落防止部で、該脱落防止部１０の先部は可動挟持片６の先部に接続されると共に、その幅は後記するポリ管２５の内径とほぼ同径に形成され、かつ、ガイド板８と共に摩擦係数の小さいテフロン（登録商標）により形成されている。
【００１０】
１１は上記可動挟持片６を上下動せしめるべく上下部水平ア−ム２・３に挿通孔１２・１３を介して上下動自在に挿設された所要長のネジ軸、１４は該ネジ軸１１の先端部に取付けられたストッパ−、１５はネジ軸１１の下端部に取付けられた後記する活線操作棒２４の接続金具、１６は一端部がネジ軸１１に昇降自在に螺合されると共に他端部が可動挟持片６に取付けられた昇降体、１７は該昇降体１６の昇降作動をガイドせしめるガイドバ−である。１８はネジ軸１１の作動時における基体１の共回りを防止せしめる回り止め手段で、該回り止め手段１８は上部水平ア−ム２より外方に突出するネジ軸１１の突出端部に環状形成された方形状の係合突起１９と、該係合突起１９の係合を解除せしめるべく上部水平ア−ム２上に形成された解除孔２１付き解除部２０と、係合突起１９を係合せしめるべく該解除部２０上に形成された方形状の係合孔２３付き係合部２２とより構成されてなり、不使用時には上部水平ア−ム２をそれ自体や基体１などの自重によりネジ軸１１に沿って下降せしめ、係合突起１９を係合部２２の係合孔２３に係合せしめることによりネジ軸１１の回動を停止せしめ、また、使用時には固定挟持片４を架空配電線２９に引掛けることによりネジ軸１１をその自重により下降せしめ、係合突起１９を解除部２０の解除孔２１に嵌合せしめることによりネジ軸１１を正逆に回転作動せしめる。２４は活線操作棒である。
【００１１】
その他、２５は弾性を有する合成樹脂製ポリ管、２６は該ポリ管２５を構成する所要の長さと径を備えた円筒状のポリ管本体、２７は該ポリ管本体２６の長手方向に沿って形成された拡開用開口部、２８は該開口部２７の両側縁に沿って対向状に突設された両側一対の足部である。２９は架空配電線を示す。
【００１２】
次に、上述のごとく構成された実施例の作動について説明する。
先ず、ポリ管２５を架空配電線２９に取付けるさいには、係合突起１９を解除部２０の解除孔２１に嵌合せしめつつネジ軸１１を所定方向に回動せしめ、昇降体１６を介して可動挟持片６を下降せしめることにより拡開すると共に、ネジ軸１１の下端に接続金具１５を介して活線操作棒２４を接続せしめる。しかるのち、活線操作棒２４により架空配電線２９にアプロ−チせしめる。このさい、上部水平ア−ム２はそれ自体や基体１などの自重によりネジ軸１１に沿って自動的に下降するため、係合突起１９が係合部２２の係合孔２３に係合し、ネジ軸１１の回転を確実に停止せしめる（図４及び図５参照）。次いで、挟持面５を架空配電線２９に当てがいつつ、固定挟持片４を架空配電線２９に引掛けて支持せしめる。すると、固定挟持片４と共に基体１が架空配電線２９に支持されるため、ネジ軸１１がそれ自体や活線操作棒２４などの自重により自動的に下降し、係合突起１９を係合孔２３より解除せしめて解除孔２１に嵌合せしめ、ネジ軸１１の回り止めを解除せしめる（図６及び図７参照）。しかるのち、活線操作棒２４によりネジ軸１１を所定方向に回転作動せしめつつ昇降体１６を介して可動挟持片６を上昇作動せしめ、固定挟持片４との間に架空配電線２９を挟持せしめる。架空配電線２９の挟持が完了すると、図８に矢印で示す方向に足部２８を上向き状に保持せしめつつポリ管２５をガイド板８の後端より先端方向に向けて外嵌状に挿入せしめ、ガイド板８によりポリ管２５の開口部２７を外側方に拡開せしめつつ架空配電線２９に外嵌状に挿入して取付ける（図８参照）。このさい、ガイド板８の下端部に脱落防止部１０が形成されているから、ポリ管２５の挿入時における脱落を有効に防止せしめることが出来るのみならず、摩擦係数の小さいテフロン（登録商標）より形成されているからポリ管２５の挿入を極めてスム−ズに行うことが出来る（図９参照）。
以下、同様にポリ管２５をガイド板８の後端より先端方向に向けて外嵌状に挿入せしめ、架空配電線２９に外嵌状に挿入して取付ける。
【００１３】
逆に、架空配電線２９に取付けたポリ管２５を取外すさいには、上記と同様に操作して固定・可動挟持片４・６間に架空配電線２９を挟持せしめる。そして、ポリ管２５を脱落防止部１０の先端に外嵌状の挿入せしめつつ、ガイドい板８に沿って後端方向に引張せしめることにより取外すとよい。
【００１４】
図１０〜図１２は本発明の他の実施例を示すもので、同図中、３０は固定挟持片４の先部に枢着ピン３１を介して倒起立自在に枢着された所要の長さを有する横断面下向きコ字形状の位置決めバ−、３２は枢着ピン３１にガイドせしめて該位置決めバ−３０を前後にスライドせしめるべくその両側に形成されたスライド溝孔、３３は位置決めバ−３０を常時固定挟持片４方向に付勢せしめるべく介装されたバネ材、３４は位置決めバ−３０のほぼ中位に形成された係合突起、３５は該係合突起３４に対応すべく固定挟持片４の先端面に形成された係合孔である。３６は上記位置決めバ−３０の先端面にバネ材３７を巻装せしめたボルト３８でもって回転自在に枢着された嵌合板、３９は該嵌合板３６を所定の位置に設定せしめる位置決めピン、４０は異種径の架空配電線２９に適合せしめるべく該嵌合板３６の外周縁に切欠き形成された大小の略半円状嵌合部である。なお、その他は上記実施例と同一であり、同一符号は同一部分を示す。
【００１５】
そして、上述のごとく構成された実施例は、先ず、嵌合板３６を適宜回転せしめ、架空配電線２９に適合する嵌合部４０を選定して位置決めピン３９により下向き状に設定せしめる。次いで、バネ材３７の付勢力に抗して位置決めバ−３０を倒伏せしめ、係合突起３４を係合孔３５に係合して固定挟持片４の延長線上に固定する。しかるのち、挟持面５を架空配電線２９に当てがいつつ固定挟持片４を架空配電線２９に引掛けると共に、位置決めバ−３０の嵌合部４０を架空配電線２９に嵌合せしめて固定挟持片４による挟持の位置決めを行う。位置決めが完了すると、ねじ軸１１を回転せしめつつ可動挟持片６を上昇作動せしめ、固定挟持片４との間に架空配電線２９を挟持せしめる。このさい、固定挟持片４の延長線上に倒伏せしめた位置決めバ−３０により挟持の位置決めを行うため、架空配電線２９のづれ等を生じることなく、常に架空配電線２９を迅速、かつ、正確に挟持せしめることが出来る。
架空配電線２９の挟持が完了すると、位置決めバ−３０を前方に若干引張せしめて係合突起３４の係合を解除せしめ、バネ材３３の付勢力により起立して保持せしめる。
以下、上記実施例と同様に、ポリ管２５をガイド板８の後端より先端方向に向けて外嵌状に挿入せしめ、架空配電線２９に外嵌状に挿入して取付ける。
【００１６】
なお、上記実施例において、回り止め手段１８は、ネジ軸１１の突出端部に形成された方形状の係合突起１９と、該係合突起１９の係合を解除すべく上部水平ア−ム２に取付けられた解除孔２１付き解除部２０と、該解除部２０上に取付けられた係合孔２３付き係合部２２とより構成されているが、これに限定されるものではなく、他の公知の回り止め手段を採用してもよいものである。また、適用例としてポリ管２５を示したが、これに限定されるものではなく、他の電線用防護管の挿脱にも適用せしめることが出来るものである。さらに、嵌合板３６は位置決めバ−３０の先部に回動自在に枢着されているが、これに限定されるものでなく、位置決めバ−３０に固着されると共に１個の嵌合部４０を形成せしめてもよいものである。
【００１７】
【発明の効果】
請求項１記載の発明によれば以上の次第で、上下に所定間隔をおいて水平ア−ム２・３が横設された略コ字形状の基体１と、該基体１の上部水平ア−ム２に下向き状に取付けられた所要の長さを有する固定挟持片４と、該固定挟持片４に対向すべくその下方に上向き状に配設された所要長のガイド板８付き可動挟持片６と、該可動挟持片６を上下動自在に可動せしめるべく上下部水平ア−ム２・３に挿設された活線操作棒用接続金具１５付きネジ軸１１とより構成されているから、ネジ軸１１の螺動により可動挟持片６を上昇作動せしめ、固定挟持片４との間に架空配電線２９を挟持せしめると共に、ガイド板８に電線用防護管２５をその開口部２７より外嵌状に挿入して拡開せしめつつ架空配電線２９に取付け、また、取外すことが出来るものであって、夏冬場を問わず架空配電線２９に電線用防護管２５を極めて容易に、しかも、迅速かつ安全確実に作業能率よく挿脱せしめることが出来るものである。
【００１８】
請求項２記載の発明によれば以上の次第で、可動挟持片６に付設されたガイド板８にはその下端部に脱落防止部１０が形成されているから、電線用防護管２５の挿脱時における脱落を有効に防止せしめることが出来るものである。
【００１９】
請求項３記載の発明によれば以上の次第で、ネジ軸１１には基体１に対する共回りを防止せしめるべく所要の回り止め手段１８が付設されているから、基体１に対するネジ軸１１の共回りを確実に防止せしめ、常にネジ軸１１を適正に螺動せしめて可動挟持片６の上下動を確実に行わしめることが出来るものである。
【００２０】
請求項４記載の発明によれば以上の次第で、固定挟持片４の先部に所要長の位置決めバ−３０が倒起立自在に連結されると共に、該位置決めバ−３０の先部には架空配電線用嵌合部４０を備えた嵌合板３６が取付けられているから、位置決めバ−３０を固定挟持片４の延長線上に倒伏せしめると共に、嵌合部４０を架空配電線２９に嵌合せしめて挟持の位置決めを適正に行うことが出来るため、固定・可動挟持片４・６による架空配電線２９の挟持を常に迅速、かつ、正確に行うことが出来るものである。
【図面の簡単な説明】
【図１】  本発明の一実施例を示す側面図である。
【図２】  図１の平面図である。
【図３】  図１の一部破砕背面図である。
【図４】  実施例の回り止め手段１８によりネジ軸１１を上部水平ア−ム２に係合せしめた状態を示す垂直断面図である。
【図５】  図４のＩ−Ｉ線に沿う断面図である。
【図６】  実施例の回り止め手段１８によりネジ軸１１と上部水平ア−ム２との係合を解除せしめた状態を示す垂直断面図である。
【図７】  図６のII−II線に沿う断面図である。
【図８】  ポリ管２５の挿入状態を示す側面図である。
【図９】  図８のIII−III線に沿う断面図である。
【図１０】  本発明の他の実施例を示す側面図である。
【図１１】  実施例の嵌合板３６を示す正面図である。
【図１２】  図１１のIV−IV線に沿う断面図である。
【符号の説明】
１    基体
２    上部水平アーム
３    下部水平アーム
４    固定挟持片
６    可動挟持片
８    ガイド板
１０  脱落防止部
１１  ネジ軸
１５  接続金具
１６  昇降体
１８  回り止め手段
１９  係合突起
２０  解除部
２１  解除孔
２２  係合部
２３  係合孔
２４  活線操作棒
２５  ポリ管
２７  開口部
２８  足部
２９  架空配電線
３０  位置決めバー
３６  嵌合板
４０  嵌合部
【図１】
0004398599.tif 000002
【図２】
0004398599.tif 000003
【図３】
0004398599.tif 000004
【図４】
0004398599.tif 000005
【図５】
0004398599.tif 000006
【図６】
0004398599.tif 000007
【図７】
0004398599.tif 000008
【図８】
0004398599.tif 000009
【図９】
0004398599.tif 000010
【図１０】
0004398599.tif 000011
【図１１】
0004398599.tif 000012
【図１２】
0004398599.tif 000013